(57)【特許請求の範囲】
【請求項１】
賞球の払出しを指示する制御装置と、遊技球を検知すると共に遊技球を検知したことを通知する検知電圧を出力する入賞検知装置と、当該入賞検知装置から検知電圧を入力したことを契機に遊技球を検知したことを通知する入賞信号を前記制御装置に出力する入力回路とを備え、前記制御装置が前記入賞信号の入力を契機に賞球を払い出させるように制御する遊技機において、
前記入力回路は、
前記入賞検知装置と接続し、前記検知電圧及び遊技球を検知していないことを通知する非検知電圧を入力する接続コネクタと、
前記検知電圧を入力したか否かを判定するための基準となる第１基準電圧を出力する第１電源と、
前記接続コネクタに接続されて前記検知電圧及び前記非検知電圧を入力する第１入力端子と、接地されると共に前記第１電源に接続されて前記第１基準電圧を入力する第２入力端子を有し、前記第１入力端子に入力される電圧が第２入力端子に入力される電圧よりも低いか否かを比較判定して判定結果が肯定の場合には、制御装置に対して前記入賞信号を出力する第１比較判定素子と、
前記第１電源から出力された前記第１基準電圧を前記第２入力端子に入力するか否かを切り替える切替手段を備え、
前記接続コネクタは、前記入賞検知装置が遊技球を検知していない場合、前記入賞検知装置が遊技球を検知した場合に入力する前記検知電圧よりも高い電圧で前記非検知電圧を入力する一方、前記入賞検知装置が遊技球を検知した場合、０Ｖよりも高い電圧で前記検知電圧を入力するようになっており、
前記切替手段は、前記接続コネクタから前記検知電圧及び前記非検知電圧を入力する一方、前記接続コネクタから入力した電圧が前記検知電圧よりも低くなった場合、前記第１基準電圧を前記第２入力端子に入力しないように切り替え、前記第２入力端子に入力される電圧を接地側へ逃がすように構成され、
前記切替手段が前記第１基準電圧を前記第２入力端子に入力しないように切り替えた場合、第２入力端子に入力される電圧を、第１入力端子に入力される電圧よりも早く０Ｖとする切替促進手段を備え、
前記第１入力端子には、電荷を蓄える第１蓄電素子が接続されており、
前記第１蓄電素子の一方の端子は、前記第１入力端子に接続されていると共に第２抵抗を介して接地端子に接続されており、
前記第２入力端子には、電荷を蓄える第２蓄電素子が接続されており、
前記第２蓄電素子の一方の端子は、前記第２入力端子に接続されていると共に第３抵抗を介して接地端子に接続されており、
前記切替促進手段は、前記第１蓄電素子、前記第２蓄電素子、前記第２抵抗及び第３抵抗によって構成されており、
前記第１蓄電素子は、前記第１入力端子に検知電圧又は非検知電圧が入力されている場合には電荷を蓄える一方、前記第１入力端子に検知電圧又は非検知電圧が入力されなくなった場合には、蓄えた電荷により前記第１入力端子に電圧を出力するように構成され、
前記第２蓄電素子は、前記第２入力端子に検知電圧又は非検知電圧が入力されている場合には電荷を蓄える一方、前記第２入力端子に検知電圧又は非検知電圧が入力されなくなった場合には、蓄えた電荷により前記第２入力端子に電圧を出力するように構成され、
前記第１入力端子と接続されている第１蓄電素子の端子と接地端子との間には、前記第２入力端子と接続されている第２蓄電素子の端子と接地端子との間における第３抵抗の抵抗値と比較して大きい抵抗値を有する第２抵抗が接続されていることを特徴とする遊技機。
【発明の詳細な説明】
【技術分野】
【０００１】
本発明は、遊技球を検知する入賞検知装置から出力された検知電圧を入力したことを契機に入賞信号を出力する入力回路を有する遊技機に関するものである。
【背景技術】
【０００２】
従来、遊技機の一種であるパチンコ機は、その遊技領域に、図柄組み合わせゲームを開始させるための始動入賞口や、大当り遊技状態が付与されると開放される大入賞口など、複数の入賞口を備えている。夫々の入賞口には、遊技球を検知する入賞検知装置としての入賞センサ（近接スイッチ）が配置されており、当該入賞センサが遊技球を検知すると、入力回路を介して主制御基板（メインＣＰＵ）に検知電圧（入賞信号）を出力するようになっている。そして、主制御基板（メインＣＰＵ）は、当該入賞信号を入力すると、所定個数の賞球（遊技球）を遊技者に払い出させるように払出制御基板を制御する。賞球の払出しが正確に行われなければ、遊技者又は遊技店側に不当な不利益が生じるため、入賞信号は正確にメインＣＰＵに入力される必要がある。
【０００３】
ところで、入賞センサは、接続コネクタを介して入力回路に接続され、当該入力回路を経由して検知電圧（入賞信号）がメインＣＰＵに出力されるようになっている。しかしながら、この接続コネクタは、遊技中に引き抜かれてしまう場合やはずれてしまう場合がある。この場合、入賞センサからの検知電圧が正確に入力されなくなるので、余分に賞球が払い出されてしまう場合がある。これを防止するために、例えば、特許文献１に記載のパチンコ機が提案されている（特許文献１参照）。
【０００４】
この特許文献１に示すように、入力回路は、入賞センサ（始動口スイッチなど）と入力ポートの間に設けられた第１の入力経路と、入力ポートに入力される経路であって第１の入力経路とは異なる第２の入力経路を有する。それと共に、入力回路は、第１の入力経路が途切れた場合（接続コネクタが未接続状態である場合）に、第２の入力経路を用いて入賞センサが検知電圧を出力していないときの出力状態と同様の出力状態で入力ポートに電圧を出力（供給）する電圧供給手段（電源、トランジスタ及び抵抗からなる回路）を有する。これにより、入力ポートは、接続コネクタが未接続状態である場合であっても、電圧供給手段から入賞センサが検知電圧を出力していないときの出力状態と同様の出力状態の電圧が入力されるので、メインＣＰＵに入賞センサが遊技球を検知したことを示す入賞信号を出力することがなくなる。このため、賞球を間違って払い出すことがなくなり、遊技店側の不利益を防止できる。
【先行技術文献】
【特許文献】
【０００５】
【特許文献１】特開２００３−３２５７６９号公報（段落番号［００７１］〜［００８０］、図１１）
【発明の概要】
【発明が解決しようとする課題】
【０００６】
しかしながら、特許文献１の入力回路の入力ポートは、検知電圧を入力したか否かを所定の閾値（基準電圧）と比較することにより、判定している。このため、電源電圧の設定や、各種抵抗の抵抗値の設定、入力ポートの閾値、各種回路構成素子の個体差（ばらつき）、接続コネクタの切断時における入力回路の状態、切断されるタイミングなどによっては、入力ポートに基準電圧を上回る（又は下回る）電圧が供給され、メインＣＰＵに対して検知電圧（入賞信号）を誤入力してしまう虞がある。
【０００７】
この発明は、このような従来技術に存在する問題点に着目してなされたものであり、その目的は、入賞検知装置と未接続状態の場合、制御装置への入賞信号の誤入力を確実に防止する入力回路を有する遊技機を提供することにある。
【課題を解決するための手段】
【０００８】
上記目的を達成するために、請求項１に記載の発明は、賞球の払出しを指示する制御装置と、遊技球を検知すると共に遊技球を検知したことを通知する検知電圧を出力する入賞検知装置と、当該入賞検知装置から検知電圧を入力したことを契機に遊技球を検知したことを通知する入賞信号を前記制御装置に出力する入力回路とを備え、前記制御装置が前記入賞信号の入力を契機に賞球を払い出させるように制御する遊技機において、前記入力回路は、前記入賞検知装置と接続し、前記検知電圧及び遊技球を検知していないことを通知する非検知電圧を入力する接続コネクタと、前記検知電圧を入力したか否かを判定するための基準となる第１基準電圧を出力する第１電源と、前記接続コネクタに接続されて前記検知電圧及び前記非検知電圧を入力する第１入力端子と、接地されると共に前記第１電源に接続されて前記第１基準電圧を入力する第２入力端子を有し、前記第１入力端子に入力される電圧が第２入力端子に入力される電圧よりも低いか否かを比較判定して判定結果が肯定の場合には、制御装置に対して前記入賞信号を出力する第１比較判定素子と、前記第１電源から出力された前記第１基準電圧を前記第２入力端子に入力するか否かを切り替える切替手段を備え、前記接続コネクタは、前記入賞検知装置が遊技球を検知していない場合、前記入賞検知装置が遊技球を検知した場合に入力する前記検知電圧よりも高い電圧で前記非検知電圧を入力する一方、前記入賞検知装置が遊技球を検知した場合、０Ｖよりも高い電圧で前記検知電圧を入力するようになっており、前記切替手段は、前記接続コネクタから前記検知電圧及び前記非検知電圧を入力する一方、前記接続コネクタから入力した電圧が前記検知電圧よりも低くなった場合、前記第１基準電圧を前記第２入力端子に入力しないように切り替え、前記第２入力端子に入力される電圧を接地側へ逃がすように構成され、前記切替手段が前記第１基準電圧を前記第２入力端子に入力しないように切り替えた場合、第２入力端子に入力される電圧を、第１入力端子に入力される電圧よりも早く０Ｖとする切替促進手段を備え、前記第１入力端子には、電荷を蓄える第１蓄電素子が接続されており、前記第１蓄電素子の一方の端子は、前記第１入力端子に接続されていると共に第２抵抗を介して接地端子に接続されており、前記第２入力端子には、電荷を蓄える第２蓄電素子が接続されており、前記第２蓄電素子の一方の端子は、前記第２入力端子に接続されていると共に第３抵抗を介して接地端子に接続されており、前記切替促進手段は、前記第１蓄電素子、前記第２蓄電素子、前記第２抵抗及び第３抵抗によって構成されており、前記第１蓄電素子は、前記第１入力端子に検知電圧又は非検知電圧が入力されている場合には電荷を蓄える一方、前記第１入力端子に検知電圧又は非検知電圧が入力されなくなった場合には、蓄えた電荷により前記第１入力端子に電圧を出力するように構成され、前記第２蓄電素子は、前記第２入力端子に検知電圧又は非検知電圧が入力されている場合には電荷を蓄える一方、前記第２入力端子に検知電圧又は非検知電圧が入力されなくなった場合には、蓄えた電荷により前記第２入力端子に電圧を出力するように構成され、前記第１入力端子と接続されている第１蓄電素子の端子と接地端子との間には、前記第２入力端子と接続されている第２蓄電素子の端子と接地端子との間における第３抵抗の抵抗値と比較して大きい抵抗値を有する第２抵抗が接続されていることを要旨とする。
【発明の効果】
【００１１】
本発明によれば、入賞検知装置と未接続状態の場合、制御装置への入賞信号の誤入力を確実に防止することができる。
【図面の簡単な説明】
【００１２】
【図１】パチンコ遊技機の機表側を示す正面図。
【図２】パチンコ遊技機の制御構成を示すブロック図。
【図３】入力回路を示す回路図。
【図４】入力回路における検知電圧の入出力タイミングを示すタイムチャート。
【発明を実施するための形態】
【００１３】
以下、本発明をその一種であるパチンコ遊技機（以下、「パチンコ機」と示す）に具体化した一実施形態を図１〜図４に基づき説明する。
図１には、パチンコ機１０の機表側が略示されており、機体の外郭をなす外枠１１の開口前面側には、各種の遊技用構成部材をセットする縦長方形の中枠１２が開閉及び着脱自在に組み付けられている。また、中枠１２の前面側には、機内部に配置された遊技盤１３を透視保護するためのガラス枠を備えた前枠１４と上球皿１５が共に横開き状態で開閉可能に組み付けられている。また、前枠１４の前面側及び遊技盤１３の遊技領域１３ａには、点灯（点滅）又は消灯し、発光装飾に基づく発光演出を行う装飾ランプ１６が設けられている。また、外枠１１の下部には、各種音声（効果音）を出力し、音声出力に基づく音声演出を行うスピーカ１７が設けられている。中枠１２の下部には、下球皿１８及び発射装置１９が装着されている。
【００１４】
遊技盤１３の遊技領域１３ａの略中央には、液晶ディスプレイ型の可変表示器Ｈを備えた表示装置２０が配設されている。可変表示器Ｈでは、変動画像（又は画像表示）に基づく遊技演出（表示演出）が行われるようになっている。そして、可変表示器Ｈでは、複数種類の図柄を複数列で変動させて表示する図柄組み合わせゲーム（図柄変動ゲーム）が行われるようになっている。本実施形態では、図柄組み合わせゲームで３列の図柄による組み合わせを導出し、該組み合わせを形成する各列の図柄の種類を１〜８の８種類としている。
【００１５】
そして、遊技者は、図柄組み合わせゲームにおいて最終的に表示された図柄組み合わせから大当り又ははずれを認識できる。可変表示器Ｈに表示された全列の図柄が同一種類の場合には、その図柄組み合わせ（［２２２］［７７７］など）から大当りを認識できる。この大当りを認識できる図柄組み合わせが大当りの図柄組み合わせとなる。大当りの図柄組み合わせが表示されると、遊技者には、大当り遊技状態が付与される。一方、可変表示器Ｈに表示された全列の図柄が異なる種類の場合、又は１列の図柄が他の２列の図柄と異なる種類の場合には、その図柄組み合わせ（［１２３］［１２２］［７６７］など）からはずれを認識できる。このはずれを認識できる図柄組み合わせがはずれの図柄組み合わせとなる。
【００１６】
また、表示装置２０の下方には、図示しないアクチュエータ（ソレノイド、モータなど）の作動により開閉動作を行う開閉羽根２１を備えた始動入賞口２２が配設されている。始動入賞口２２の奥方には、入賞した遊技球を検知する始動口センサＳＥ１（図２に示す）が設けられている。始動入賞口２２は、遊技球の入賞検知を契機に、図柄組み合わせゲームの始動条件を付与し得る。また、始動入賞口２２により遊技球が入賞検知されると、１個の入賞に対して所定個数（例えば、４個）の賞球（遊技球）が払い出される。
【００１７】
また、始動入賞口２２の下方には、図示しないアクチュエータ（ソレノイド、モータなど）の作動により開閉動作を行う大入賞口扉２３を備えた大入賞口２４が配設されている。そして、大当り遊技状態が付与されると、大入賞口扉２３の開動作によって大入賞口２４が開放されて遊技球が入賞可能となる。そして、大入賞口２４の奥方には、入賞した遊技球を検知する大入賞口センサＳＥ２（図２に示す）が設けられており、大入賞口２４により遊技球が入賞検知されると、１個の入賞に対して所定個数（例えば、１５個）の賞球が払い出される。このため、遊技者は、大当り遊技状態が付与されると、多数の賞球が獲得できるチャンスを得ることができる。
【００１８】
次に、パチンコ機１０の制御構成を図２に基づき説明する。
パチンコ機１０の機裏側には、パチンコ機１０全体を制御する主制御基板３０が装着されている。主制御基板３０は、パチンコ機１０全体を制御するための各種処理を実行し、該処理結果に応じて遊技を制御するための各種の制御信号（制御コマンド）を演算処理し、該制御信号（制御コマンド）を出力する。また、機裏側には、演出制御基板３１が装着されている。演出制御基板３１は、主制御基板３０が出力した制御信号（制御コマンド）に基づき、表示装置２０（可変表示器Ｈ）の表示態様（図柄、背景、文字などの表示画像など）、装飾ランプ１６の発光態様（点灯（点滅）／消灯のタイミングなど）、スピーカ１７の音声出力態様（音声出力のタイミングなど）を制御する。
【００１９】
主制御基板３０には、始動入賞口２２に入賞した遊技球を検知する始動口センサＳＥ１が入力回路５１を介して接続されている。また、主制御基板３０には、大入賞口２４に入賞した遊技球を検知する大入賞口センサＳＥ２が入力回路５１を介して接続されている。また、主制御基板３０には、遊技球（賞球など）の払出しを制御する払出制御基板３５が接続されている。払出制御基板３５には、遊技球を払出す払出装置３６が接続されている。
【００２０】
以下、主制御基板３０、演出制御基板３１の具体的な構成を説明する。
図２に示すように主制御基板３０には、メインＣＰＵ３０ａと、ＲＯＭ３０ｂと、ＲＡＭ３０ｃとが設けられている。メインＣＰＵ３０ａは、各種乱数の値を所定の周期毎に更新している。ＲＯＭ３０ｂには、パチンコ機１０を制御するためのメイン制御プログラムや複数種類の変動パターンが記憶されている。ＲＡＭ３０ｃには、パチンコ機１０の動作中に適宜書き換えられる各種情報（乱数の値など）が記憶（設定）されるようになっている。
【００２１】
変動パターンは、図柄が変動を開始（図柄組み合わせゲームの開始）してから全列の図柄が表示（図柄組み合わせゲームの終了）される迄の間の遊技演出（表示演出、発光演出、音声演出）のベースとなるパターンを示すものである。また、複数種類の変動パターンは、大当り演出用の変動パターンと、はずれ演出用の変動パターンとに分類されている。大当り演出は、図柄組み合わせゲームが、最終的に大当りの図柄組み合わせを表示するように展開される演出である。はずれ演出は、図柄組み合わせゲームが、はずれの図柄組み合わせを表示するように展開される演出である。
【００２２】
そして、メインＣＰＵ３０ａは、メイン制御プログラムに基づき、入賞処理、変動パターン決定処理などの各種処理などの各種処理を実行するようになっている。
まず、入賞処理について説明する。メインＣＰＵ３０ａは、入賞処理において、所定時間間隔で遊技球の始動入賞口２２への入賞検知がなされたか否か（入賞したことを示す入賞信号を入力したか否か）を判定する始動口入賞判定を行う。この始動口入賞判定の判定結果が肯定の場合（入賞検知ありの場合）、メインＣＰＵ３０ａは、大当り判定用乱数の値をＲＡＭ３０ｃから読み出して取得し、当該読み出した大当り判定用乱数の値をＲＡＭ３０ｃの所定の記憶領域に設定する。大当り判定用乱数は、メインＣＰＵ３０ａによって所定の周期毎に順次更新される乱数であり、メインＣＰＵ３０ａは、更新後の値をそれぞれＲＡＭ３０ｃの設定領域に設定して更新前の値を書き換えている。また、メインＣＰＵ３０ａは、大当り判定用乱数を取得すると共に、賞球の払出しを指示する第１の払出制御コマンドを払出制御基板３５に出力する。払出制御基板３５は、当該第１の払出制御コマンドを入力すると、所定個数（４個）の賞球を払い出させるように払出装置３６を制御する。
【００２３】
一方、始動口入賞判定が否定の場合、メインＣＰＵ３０ａは、大入賞口２４への入賞検知がなされたか否か（入賞したことを示す入賞信号を入力したか否か）を判定する大入賞口入賞判定を行う。この大入賞口入賞判定の判定結果が肯定の場合（入賞検知ありの場合）、メインＣＰＵ３０ａは、賞球の払出しを指示する第２の払出制御コマンドを払出制御基板３５に出力する。払出制御基板３５は、当該第２の払出制御コマンドを入力すると、所定個数（１５個）の賞球を払い出させるように払出装置３６を制御する。一方、この大入賞口入賞判定の判定結果が否定の場合（入賞検知なしの場合）、入賞処理を終了するようになっている。従って、本実施形態のメインＣＰＵ３０ａは、賞球の払い出しを指示する制御装置となる。
【００２４】
次に、変動パターン決定処理について説明する。メインＣＰＵ３０ａは、図柄組み合わせゲーム開始時に、ＲＡＭ３０ｃに記憶されている大当り判定用乱数の値がＲＯＭ３０ｂに記憶されている大当り判定値と一致するか否かを判定して大当り判定を行う。大当り判定の判定結果が肯定の場合（大当りの場合）、メインＣＰＵ３０ａは、全列が同一種類となるように最終停止図柄を決定すると共に、大当り演出用の変動パターンの中から変動パターンを決定する。一方、大当り判定の判定結果が否定の場合（はずれの場合）、メインＣＰＵ３０ａは、全列が同一種類とならないように最終停止図柄を決定する。それと共に、メインＣＰＵ３０ａは、はずれ演出用の変動パターンの中から変動パターンを決定する。
【００２５】
そして、変動パターン及び最終停止図柄を決定したメインＣＰＵ３０ａは、演出制御基板３１（サブＣＰＵ３１ａ）に対し、所定の制御コマンドを所定のタイミングで出力する。具体的に言えば、メインＣＰＵ３０ａは、変動パターンを指定すると共に図柄変動の開始を指示する変動パターン指定コマンドを最初に出力する。次に、メインＣＰＵ３０ａは、各列毎の最終停止図柄を指定するための図柄指定コマンドを出力する。その後に、メインＣＰＵ３０ａは、前記指定した変動パターンに定められている変動時間に基づいて変動停止を指示し、図柄組み合わせゲームを終了するための全図柄停止コマンドを出力する。
【００２６】
次に、演出制御基板３１について説明する。
演出制御基板３１は、図２に示すように、サブＣＰＵ３１ａを備えており、該サブＣＰＵ３１ａにはＲＯＭ３１ｂ及びＲＡＭ３１ｃが接続されている。ＲＯＭ３１ｂには、可変表示器Ｈの表示態様、装飾ランプ１６の発光態様、スピーカ１７の音声出力態様を制御するため演出制御プログラムなどが記憶されている。また、ＲＡＭ３１ｃには、パチンコ機１０の動作中に適宜書き換えられる各種情報が記憶（設定）されるようになっている。
【００２７】
そして、サブＣＰＵ３１ａは、主制御基板３０（メインＣＰＵ３０ａ）から制御コマンドを入力すると、演出制御プログラムに基づき、入力した制御コマンドに応じた制御を行う。具体的には、サブＣＰＵ３１ａは、変動パターン指定コマンドを入力すると、変動パターン指定コマンドにて指定された変動パターンに基づき、図柄を変動表示させて図柄組み合わせゲームを開始させるように可変表示器Ｈの表示態様を制御する。それと共に、サブＣＰＵ３１ａは、可変表示器Ｈの表示態様に対応させて、装飾ランプ１６の発光態様、スピーカ１７の音声出力態様を制御する。そして、サブＣＰＵ３１ａは、全図柄停止コマンドを入力すると、入力した図柄指定コマンドで指定された図柄組み合わせを可変表示器Ｈに表示させるように可変表示器Ｈの表示内容を制御する。この制御により、可変表示器Ｈでは図柄組み合わせゲームが行われる。
【００２８】
そして、本実施形態では、始動口センサＳＥ１及び大入賞口センサＳＥ２は、それぞれ入力回路５１を介してメインＣＰＵ３０ａと接続している。前記入力回路５１は、始動口センサＳＥ１又は大入賞口センサＳＥ２から検知電圧及び非検知電圧を入力したことを契機に、メインＣＰＵ３０ａに入賞信号及び遊技球を検知していないことを通知する非入賞信号を出力する回路である。以下、この入力回路５１について図３に基づき詳述する。なお、始動口センサＳＥ１に接続される入力回路５１と、大入賞口センサＳＥ２に接続される入力回路５１は同様の構成を有するので、本実施形態では、始動口センサＳＥ１に接続される入力回路５１を例にして説明し、大入賞口センサＳＥ２に接続される入力回路５１の説明は省略する。また、本実施形態において、始動口センサＳＥ１及び入力回路５１は、負論理（ローアクティブ）にて回路設計されており、メインＣＰＵ３０ａは、正論理（ハイアクティブ）にて回路設計されている。
【００２９】
始動口センサＳＥ１は、一対の接続端子Ｓ１，Ｓ２を有しており、入力回路５１が有する第１接続コネクタＰ１及び第２接続コネクタＰ２にそれぞれ接続されるようになっている。より詳しくは、始動口センサＳＥ１の一方の接続端子Ｓ１（プラス側接続端子）は、１２Ｖの電圧を出力する第３電源Ｄ３と接続された第１接続コネクタＰ１に接続されるようになっている。前記接続端子Ｓ１は、当該第１接続コネクタＰ１と接続することにより、第３電源Ｄ３から１２Ｖの電圧を入力するようになっている。また、他方の接続端子Ｓ２（マイナス側接続端子）は、もう一方の第２接続コネクタＰ２と接続され、入力回路５１に始動口センサＳＥ１が遊技球を検知したことを通知する検知電圧（検知信号）及び遊技球を検知していないことを通知する非検知電圧（非検知信号）を出力するようになっている。
【００３０】
始動口センサＳＥ１には、所定の抵抗値を有する抵抗（図示略）と、遊技球の通過によって内蔵するコイル（図示略）に渦電流を発生させ、それに応じたレベルで検知電圧を接続端子Ｓ２の出力側（マイナス側）に発生させる近接スイッチが用いられている。本実施形態において、始動口センサＳＥ１は、負論理にて回路設計されているため、遊技球を検知していない場合、検知電圧よりもその電圧値が高い非検知電圧を出力するようになっている（本実施形態では、始動口センサＳＥ１は５Ｖの非検知電圧を入力回路５１に出力する）。換言すると、始動口センサＳＥ１は、遊技球を検知した場合、非検知電圧よりもその電圧値が低い検知電圧を出力するようになっている（本実施形態では、始動口センサＳＥ１は０．４Ｖの検知電圧を入力回路５１に出力する）。なお、始動口センサＳＥ１は、接続端子Ｓ１，Ｓ２とそれぞれ接続コネクタＰ１，Ｐ２が接続されている場合、遊技球を検知しているか否かに関係なく、常に０Ｖよりもその電圧値が高い電圧を出力するようになっている。
【００３１】
検知電圧及び非検知電圧を入力する第２接続コネクタＰ２は、所定の抵抗値（本実施形態では、２２ＫΩ）を有する第１抵抗Ｒ１の一端と接続されている。当該第１抵抗Ｒ１の他端は、第１コンパレータＨ１と接続されていると共に、第１コンデンサＣ１（第１蓄電素子）を介して接地されている（すなわち、接地端子に接続されている、以下、同じ）。
【００３２】
前記第１コンパレータＨ１は、前記第１抵抗Ｒ１を介して前記第２接続コネクタＰ２と接続される第１入力端子ＩＮ１と、第２入力端子ＩＮ２を有し、第２入力端子ＩＮ２に入力される電圧を基準として、第１入力端子ＩＮ１に入力される電圧が低いか否かを判定する第１判定を行うようになっている。そして、第１コンパレータＨ１は第１出力端子ＯＵＴ１を有し、当該第１出力端子ＯＵＴ１は、第３抵抗Ｒ３を介して第４電源Ｄ４と接続されると共に、メインＣＰＵ３０ａと接続される。
【００３３】
第１コンパレータＨ１は、前記第１判定の判定結果が否定の場合（第１入力端子ＩＮ１に入力される電圧の方が高い場合）、第４電源Ｄ４から出力される電圧を第１出力端子ＯＵＴ１から入力し、第１コンパレータＨ１に接続されている接地側に入力した電圧を出力するようになっている。すなわち、第１コンパレータＨ１は、前記第１判定の判定結果が否定の場合、第４電源Ｄ４を接地するように切り替える。これにより、第４電源Ｄ４からメインＣＰＵ３０ａへ電圧が入力されなくなり、入力回路５１からメインＣＰＵ３０ａへ出力される電圧の電圧値は限りなく０Ｖに近くなる（又は０Ｖになる）。そして、本実施形態では、メインＣＰＵ３０ａは、正論理で回路設計されている為、入力する電圧がローレベルの時（低いとき）に遊技球を入賞検知していないと判定する。従って、第１コンパレータＨ１による前記第１判定の判定結果が否定の場合、入力回路５１は、始動口センサＳＥ１が遊技球を入賞検知していないことを通知する非入賞信号を出力する。
【００３４】
一方、前記第１判定の判定結果が肯定の場合（第１入力端子ＩＮ１に入力される電圧の方が低い場合）、第１コンパレータＨ１は、第４電源Ｄ４から出力される電圧を第１出力端子ＯＵＴ１から入力しないように切り替える。すなわち、第１コンパレータＨ１は、前記第１判定の判定結果が肯定の場合、第４電源Ｄ４が接地しないように切り替える。これにより、第４電源Ｄ４からメインＣＰＵ３０ａへ所定の電圧が入力される。本実施形態では、メインＣＰＵ３０ａは、正論理で回路設計されている為、入力する電圧がハイレベルの時（高いとき）に遊技球を入賞検知したと判定する。すなわち、第１コンパレータＨ１による前記第１判定の判定結果が肯定の場合、入力回路５１は、始動口センサＳＥ１が遊技球を入賞検知したことを通知する入賞信号を出力する。従って、本実施形態では、第１コンパレータＨ１及び第４電源Ｄ４により、第１入力端子ＩＮ１に入力される電圧が第２入力端子ＩＮ２に入力される電圧よりも低いか否かを比較判定する第１比較判定素子が構成される。
【００３５】
また、前記第２接続コネクタＰ２は、所定の抵抗値（本実施形態では、６８０Ω）を有する第２抵抗Ｒ２を介して接地されると共に、第２コンパレータＨ２と接続される。前記第２コンパレータＨ２は、前記第２接続コネクタＰ２と接続される第３入力端子ＩＮ３と、第４入力端子ＩＮ４とを有している。また、前記第２コンパレータＨ２は、第２出力端子ＯＵＴ２を有し、当該第２出力端子ＯＵＴ２は、第６抵抗Ｒ６を介して５Ｖの電圧を出力する第５電源Ｄ５と接続されると共に、ＰＮＰ型トランジスタＴ１（切替素子）のベースと接続される。
【００３６】
前記第２コンパレータＨ２の第４入力端子ＩＮ４は、所定の抵抗値（本実施形態では、３．３ＫΩ）を有する第４抵抗Ｒ４の一端と接続されると共に、所定の抵抗値（本実施形態では、５１Ω）を有する第５抵抗Ｒ５を介して接地される。前記第４抵抗Ｒ４の他端は、１２Ｖの電圧を出力する第２電源Ｄ２と接続される。すなわち、第２電源Ｄ２は、第４抵抗Ｒ４及び第５抵抗Ｒ５を介して接地され、第４入力端子ＩＮ４は、第４抵抗Ｒ４と第５抵抗Ｒ５との間に接続される。このため、第４入力端子ＩＮ４は、第２電源Ｄ２から入力される１２Ｖの電圧を第４抵抗Ｒ４と第５抵抗Ｒ５とで分圧した値の電圧を入力する。
【００３７】
本実施形態では、この電圧を、始動口センサＳＥ１と入力回路５１が接続されているか否かを判定する際に基準とする第２基準電圧とする。このため、第２基準電圧が、未接続状態において第３入力端子ＩＮ３に入力される電圧（０Ｖ）よりも高い電圧値で、接続状態において入力される電圧のうち最も低い電圧値を有する電圧（０．４Ｖの検知電圧）の電圧値よりも低い値となるように、第２電源Ｄ２の出力電圧、第４抵抗Ｒ４及び第５抵抗Ｒ５の抵抗値が設定されている。なお、本実施形態では、第２基準電圧を約０．１８３Ｖとしている。
【００３８】
そして、第２コンパレータＨ２は、第４入力端子ＩＮ４に入力される電圧（第２基準電圧）を基準として、第３入力端子ＩＮ３に入力される電圧が低いか否かを判定する第２判定を行うようになっている。前記第２判定の判定結果が肯定の場合（第３入力端子ＩＮ３に入力される電圧の方が低い場合）、第２コンパレータＨ２は、第５電源Ｄ５から出力される電圧を第２出力端子ＯＵＴ２から入力し、第２コンパレータＨ２に接続されている接地側に入力した電圧を出力する。すなわち、第２コンパレータＨ２は、前記第２判定の判定結果が肯定の場合、第５電源Ｄ５を接地するように切り替える。これにより、第５電源Ｄ５からトランジスタＴ１のベースへ電圧が入力されなくなり、入力回路５１からトランジスタＴ１のベースへ出力される電圧の電圧値は限りなく０Ｖに近くなる（又は０Ｖになる）。
【００３９】
一方、前記第２判定の判定結果が否定の場合（第３入力端子ＩＮ３に入力される電圧の方が高い場合）、第２コンパレータＨ２は、第５電源Ｄ５から出力される電圧を第２出力端子ＯＵＴ２から入力しないように切り替える。すなわち、第２コンパレータＨ２は、前記第２判定の判定結果が肯定の場合、第５電源Ｄ５が接地しないように切り替える。これにより、第２コンパレータＨ２は、第５電源Ｄ５により、トランジスタＴ１のベースに所定の電圧値を有する電圧（接続電圧）を出力させる。
【００４０】
そして、トランジスタＴ１のコレクタは、所定の抵抗値（本実施形態では、３．３ＫΩ）を有する第７抵抗Ｒ７を介して、１２Ｖの電圧を出力する第１電源Ｄ１と接続される。また、トランジスタＴ１のエミッタは、所定の抵抗値（本実施形態では、６８０Ω）を有する第８抵抗Ｒ８を介して接地されると共に、所定の抵抗値（本実施形態では、２２ＫΩ）を有する第９抵抗Ｒ９の一端と接続されている。そして、第９抵抗Ｒ９の他端は、第１コンパレータＨ１の第２入力端子ＩＮ２と接続されていると共に、第２コンデンサＣ２（第２蓄電素子）を介して接地されている。さらに、前記第９抵抗Ｒ９の両端には、ダイオード（整流素子）が接続されている。すなわち、第１電源Ｄ１（より詳しくはトランジスタＴ１のエミッタ）と、第１コンパレータＨ１の第２入力端子ＩＮ２との間には、第９抵抗Ｒ９とダイオードとが並列に接続されている。前記ダイオードは、第２入力端子ＩＮ２側から第１電源Ｄ１側（トランジスタＴ１のエミッタ側）へ電流を流し、逆方向への電流を規制するようになっている。
【００４１】
以上のことにより、第１コンパレータＨ１の第２入力端子ＩＮ２は、第９抵抗Ｒ９を介して、第７抵抗Ｒ７と第８抵抗Ｒ８との間に接続されており、第１電源Ｄ１から入力される１２Ｖの電圧を第７抵抗Ｒ７と第８抵抗Ｒ８とで分圧した値の電圧値を有する電圧を入力する。本実施形態では、この電圧を、第１コンパレータが検知電圧を入力したか否かを判定する際に基準とする第１基準電圧とする。このため、前記第１基準電圧の電圧値は、検知電圧（０．４Ｖ）の値よりも高い値であって、非検知電圧（５Ｖ）より低い値となるように、第１電源Ｄ１の出力電圧値、第７抵抗Ｒ７及び第８抵抗Ｒ８の抵抗値が設定される。なお、本実施形態では、第１基準電圧を約２．０５Ｖとしている。
【００４２】
また、トランジスタＴ１は、ベースに接続電圧が入力された場合、第１電源Ｄ１が第２入力端子ＩＮ２側へ電圧を出力するにように切り替え、第２入力端子ＩＮ２に第１基準電圧が入力されるようにする。一方、トランジスタＴ１は、ベースに接続電圧が入力されない（０Ｖ又は限りなく０Ｖに近い値）場合、第１電源Ｄ１が第２入力端子ＩＮ２側へ電圧を出力しないように切り替え、第２入力端子ＩＮ２に第１基準電圧が入力されないようにする。これにより、トランジスタＴ１は、第２入力端子ＩＮ２に入力されていた電圧を接地側に逃がし、第２入力端子ＩＮ２に入力される電圧を０Ｖにする（又は限りなく０Ｖに近い値にする）。
【００４３】
以上のことにより、本実施形態の第２コンパレータＨ２及び第５電源Ｄ５により、第３入力端子ＩＮ３に入力される電圧が第４入力端子ＩＮ４に入力される電圧よりも低いか否かを比較判定する第２比較判定素子が構成される。また、本実施形態のトランジスタＴ１が、接続電圧に基づき、第１基準電圧を第２入力端子側に入力するか否かを切り替える切替素子を構成する。また、本実施形態の第２コンパレータＨ２、第５電源Ｄ５、第２電源Ｄ２、及びトランジスタＴ１により、第１基準電圧を第２入力端子ＩＮ２に入力するか否かを切り替える切替手段が構成される。また、第１コンデンサＣ１，第２コンデンサＣ２，第１抵抗Ｒ１、第２抵抗Ｒ２、第８抵抗Ｒ８により、切替促進手段が構成される。
【００４４】
次に、始動口センサＳＥ１から検知電圧及び非検知電圧を入力したことを契機に、入力回路５１が入賞信号及び非入賞信号をメインＣＰＵ３０ａに出力する様子について図４に基づき説明する。まず、始動口センサＳＥ１の接続端子Ｓ１，Ｓ２がそれぞれ接続コネクタＰ１，Ｐ２に正常に接続されている場合であって、始動口センサＳＥ１が遊技球を検知していない場合について説明する。
【００４５】
始動口センサＳＥ１は、遊技球を検知していない場合、接続端子Ｓ２及び第２接続コネクタＰ２を介して入力回路５１に５Ｖの非検知電圧を出力し続ける。このため、第１コンパレータＨ１の第１入力端子ＩＮ１及び第２コンパレータＨ２の第３入力端子ＩＮ３は、５Ｖの非検知電圧を入力し続ける。その際、第１コンデンサＣ１は、その両端で（接地側と第１入力端子ＩＮ１側と）で電位差が生じるため、電荷を蓄えることとなる。なお、第１入力端子ＩＮ１は、第１抵抗Ｒ１を介して入力するため、非検知電圧の入力が開始される時間（電圧が立ち上がる時間）が第３入力端子ＩＮ３よりも僅かに遅くなるようになっている。また、第１コンデンサＣ１が電荷を蓄えるため、第１入力端子ＩＮ１に入力される電圧が安定する。
【００４６】
このとき、第２コンパレータＨ２は、第４入力端子ＩＮ４に入力される第２基準電圧（約０．１８２Ｖ）よりも第３入力端子ＩＮ３に入力される非検知電圧（５Ｖ）よりも低いか否かを判定する。この判定結果は否定となるので、第２コンパレータＨ２は第５電源Ｄ５を接地しないように切り替えることにより、第５電源Ｄ５から所定の接続電圧をトランジスタＴ１のベースに出力させる。
【００４７】
トランジスタＴ１は、そのベースに所定の接続電圧が入力されるので、第１電源Ｄ１が電圧を第２入力端子ＩＮ２側に出力するように切り替える。これにより、第２入力端子ＩＮ２は、第１基準電圧を入力する。その際、第２コンデンサＣ２は、その両端で（接地側と第２入力端子ＩＮ２側と）で電位差が生じるため、電荷を蓄えることとなる。なお、このとき、第２コンデンサＣ２が電荷を蓄えるため、第２入力端子ＩＮ２に入力される電圧が安定する。
【００４８】
そして、第１コンパレータＨ１は、第２入力端子ＩＮ２に入力される第１基準電圧（約２．０５Ｖ）よりも第１入力端子ＩＮ１に入力される非検知電圧（５Ｖ）が低いか否かを判定する。この判定結果は否定となるので、第１コンパレータＨ１は、第４電源Ｄ４を接地するように切り替える。これにより、入力回路５１からメインＣＰＵ３０ａへ出力される電圧の電圧値は０Ｖとなる。すなわち、入力回路５１は、始動口センサＳＥ１が遊技球を検知していないことを通知する非入賞信号を出力する。
【００４９】
メインＣＰＵ３０ａは、入力回路５１から始動口センサＳＥ１が遊技球を検知していないことを通知する非入賞信号を入力すると、入賞処理の始動口入賞判定における判定結果を否定する。すなわち、メインＣＰＵ３０ａは、大当り判定用乱数を取得せず、また、第１の払出制御コマンドを出力することもしない。
【００５０】
次に、始動口センサＳＥ１が遊技球を検知した場合について説明する。
遊技球を検知した場合、始動口センサＳＥ１は、接続端子Ｓ２及び第２接続コネクタＰ２を介して、入力回路５１に０．４Ｖの検知電圧を出力する。このため、第１コンパレータＨ１の第１入力端子ＩＮ１及び第２コンパレータＨ２の第３入力端子ＩＮ３は、接続コネクタを介して０．４Ｖの検知電圧を入力する。
【００５１】
このとき、第２コンパレータＨ２は、第４入力端子ＩＮ４に入力される第２基準電圧（約０．１８２Ｖ）よりも第３入力端子ＩＮ３に入力される検知電圧（０．４Ｖ）が低いか否かを判定する。この判定結果は非検知時と変わらず否定となるので、第２コンパレータＨ２は、非検知時と変わらず、第５電源Ｄ５を接地しないようにして、第５電源Ｄ５から所定の接続電圧をトランジスタＴ１のベースに出力させる。そして、トランジスタＴ１は、そのベースに所定の接続電圧を入力すると、第１電源Ｄ１が第２入力端子ＩＮ２側に電圧を出力するように切り替える。これにより、第２入力端子ＩＮ２は、第１基準電圧を入力する。
【００５２】
そして、第１コンパレータＨ１は、第２入力端子ＩＮ２に入力される第１基準電圧（約２．０５Ｖ）よりも第１入力端子ＩＮ１に入力される非検知電圧（０．４Ｖ）が低いか否かを判定する。この判定結果は肯定となるので、第１コンパレータＨ１は、第４電源Ｄ４から出力される電圧を第１出力端子ＯＵＴ１から入力しないように切り替える。これにより、第４電源Ｄ４は、メインＣＰＵ３０ａに電圧を出力する。すなわち、入力回路５１は、始動口センサＳＥ１が遊技球を検知したことを通知する入賞信号を出力する。
【００５３】
このため、メインＣＰＵ３０ａは、入力回路５１から始動口センサＳＥ１が遊技球を検知したことを示す入賞信号を入力するので、入賞処理の始動口入賞判定における判定結果を肯定する。すなわち、メインＣＰＵ３０ａは、大当り判定用乱数を取得し、また、第１の払出制御コマンドを出力する。
【００５４】
次に、始動口センサＳＥ１の接続端子Ｓ２が第２接続コネクタＰ２から引き抜かれた場合（未接続状態）について説明する。
始動口センサＳＥ１は、遊技球を検知した、検知していないかに係わらず、入力回路５１に電圧を出力することができない。このため、第１コンパレータＨ１の第１入力端子ＩＮ１及び第２コンパレータＨ２の第３入力端子ＩＮ３は、電圧を入力しない（すなわち、入力される電圧が０Ｖとなる）。
【００５５】
このとき、第２コンパレータＨ２は、第４入力端子ＩＮ４に入力される第２基準電圧（約０．１８２Ｖ）よりも第３入力端子ＩＮ３に入力される電圧（０Ｖ）よりも低いか否かを判定する。この判定結果は肯定となるので、第２コンパレータＨ２は、第５電源Ｄ５から出力される電圧を第２出力端子ＯＵＴ２から入力し、第２コンパレータＨ２に接続されている接地側に入力した電圧を出力する。
【００５６】
これにより、トランジスタＴ１のベースには、第５電源Ｄ５から電圧が入力されなくなるので、トランジスタＴ１は、第１電源Ｄ１からの電圧を第２入力端子ＩＮ２側に出力しないように切り替える。このため、第２入力端子ＩＮ２には、電圧を入力しない（すなわち、入力される電圧が０Ｖとなる）。
【００５７】
そして、第１コンパレータＨ１は、第２入力端子ＩＮ２に入力される電圧（０Ｖ）よりも第１入力端子ＩＮ１に入力される電圧（０Ｖ）が低いか否かを判定する。この判定結果は必ず否定となるので、第１コンパレータＨ１は、第４電源Ｄ４を接地するように切り替える。これにより、入力回路５１からメインＣＰＵ３０ａへ出力される電圧の電圧値は０Ｖとなる。すなわち、入力回路５１は、始動口センサＳＥ１が遊技球を検知していないことを通知する非入賞信号を出力する。
【００５８】
このため、メインＣＰＵ３０ａは、入力回路５１から始動口センサＳＥ１が遊技球を検知していないことを示す非入賞信号を入力するので、入賞処理の始動口入賞判定における判定結果を否定する。すなわち、メインＣＰＵ３０ａは、大当り判定用乱数を取得せず、また、第１の払出制御コマンドを出力することもしない。
【００５９】
このように、未接続状態となったとき、入力回路５１は、必ず非入賞信号をメインＣＰＵ３０ａに出力することができる。すなわち、従来のように第１基準電圧を変更することなく未接続状態を検知した場合に非検知電圧に相当する電圧を第１入力端子ＩＮ１に出力するような回路を設けたとしても、状況によっては瞬間的に第１基準電圧よりも第１入力端子ＩＮ１に入力される電圧が下回り、第１コンパレータＨ１が肯定判定して瞬間的に入賞信号が出力されてしまう虞がある。しかしながら、本実施形態のような構成にすれば、未接続状態となったとき、第１判定における基準自体を変更し、且つ、基準を０Ｖ（又は限りなく０Ｖに近い値）にすることができる。そして、入力回路５１の構成、各部材の性能のばらつき、未接続状態になったときの状況などを考慮しても、第１入力端子ＩＮ１に０Ｖより低い電圧が入力されることはないため、第１コンパレータＨ１は、必ず否定判定する。このため、未接続状態となったとき、入力回路５１は、必ず非入賞信号をメインＣＰＵ３０ａに出力することができ、入賞信号を誤入力することがない。
【００６０】
なお、第１コンデンサＣ１は、第１入力端子ＩＮ１に入力される電圧が０Ｖとなると同時に、蓄えた電荷に基づき、所定時間の間、第１入力端子ＩＮ１側に電圧を出力する。また、同様に、第２コンデンサＣ２は、第２入力端子ＩＮ２に入力される電圧が０Ｖとなると同時に、蓄えた電荷に基づき、所定時間の間、第２入力端子ＩＮ２側に電圧を出力する。しかしながら、第２コンデンサＣ２から出力される電圧は、第９抵抗Ｒ９と並列に接続されたダイオードを介して接地側に素早く出力される（逃げる）ようになっている。その一方、第１コンデンサＣ１は、第１抵抗Ｒ１を通過して接地側にゆっくりと出力される（逃げる）ようになっている。このため、第２入力端子ＩＮ２に入力される電圧は、第１入力端子ＩＮ１に入力される電圧よりも早く０Ｖとなる。すなわち、第１コンパレータＨ１による判定の判定結果が確実に否定となる。
【００６１】
以上詳述したように、本実施形態は、以下の効果を有する。
（１）第２コンパレータＨ２は、第２接続コネクタＰ２を介して始動口センサＳＥ１から入力した電圧が検知電圧（０．４Ｖ）よりも低くなった場合、トランジスタＴ１のベースに電圧を出力しないように切り替える。これにより、トランジスタＴ１は、第１基準電圧を第２入力端子ＩＮ２に入力しないように切り替え、第２入力端子ＩＮ２に入力される電圧を接地側へ逃がして、０Ｖとする。このため、第１入力端子ＩＮ１に入力される電圧がどんな値であっても、第１コンパレータＨ１は、第２入力端子ＩＮ２に入力される電圧（この場合、０Ｖ）よりも低いか否かの判定を行った際、判定結果を常に否定とする。すなわち、電源電圧の設定や、各種抵抗の抵抗値の設定、入力ポートの閾値、各種回路構成素子の個体差（ばらつき）、接続コネクタの切断時における入力回路の状態、切断されるタイミングにより、第１入力端子ＩＮ１に電圧が入力されている場合でも、第１判定の基準となる第１基準電圧が０Ｖとなるので、判定結果を常に否定とする。このため、入力回路５１は、接続コネクタＰ１，Ｐ２と始動口センサＳＥ１の接続端子Ｓ１，Ｓ２が未接続状態の場合、常に非入賞信号を出力して、入賞信号をメインＣＰＵ３０ａに入力することが確実になくなり、メインＣＰＵ３０ａへの入賞信号の誤入力を確実になくすことができる。従って、メインＣＰＵ３０ａは、始動口センサＳＥ１が遊技球を検知していないにも拘わらず、賞球の払出しを払出制御基板３５に指示することがなくなり、また、不正なタイミングで大当り判定用乱数を取得することを防止できる。すなわち、遊技店側に不利益を生じるのを確実に防止できる。
【００６２】
（２）第１コンデンサＣ１は、接続コネクタＰ１，Ｐ２と始動口センサＳＥ１の接続端子Ｓ１，Ｓ２が未接続状態となった際、蓄えた電荷により第１入力端子ＩＮ１に電圧を入力する。このため、第２入力端子ＩＮ２に入力される電圧よりも第１入力端子ＩＮ１に入力される電圧をゆっくり０Ｖとすることができる。従って、第１コンパレータＨ１が肯定判定することが確実になくなり、メインＣＰＵ３０ａへの入賞信号の誤入力をより確実になくすことができる。
【００６３】
（３）第２入力端子ＩＮ２に第２コンデンサＣ２を接続したため、第２入力端子ＩＮ２に入力される第１基準電圧を安定させることができる。これにより、メインＣＰＵ３０ａへの入賞信号の誤入力をより確実になくすことができる。また、トランジスタＴ１が第１基準電圧を第２入力端子ＩＮ２に入力しないように切り替えた場合、第９抵抗の両端に接続されたダイオードＬ１は、第２入力端子ＩＮ２からへ接地側に電流を流し、第２入力端子ＩＮ２に入力される電圧を０Ｖにする。すなわち、第２コンデンサＣ２は、ダイオードＬ１を介して接地側に蓄えた電圧を出力する。これにより、第２入力端子ＩＮ２に第２コンデンサＣ２を接続しても、第１入力端子ＩＮ１に入力される電圧よりも早く第２入力端子ＩＮ２に入力される電圧を０Ｖとすることができる。従って、第１コンパレータが肯定判定することが確実になくなり、メインＣＰＵ３０ａへの入賞信号の誤入力をより確実になくすことができる。
【００６４】
尚、上記実施形態は、次のような別の実施形態（別例）にて具体化できる。
・上記実施形態では、始動口センサＳＥ１に近接スイッチを用いたが、これ以外のスイッチ（又はセンサ）を用いても良い。例えば、近接スイッチの代わりに、遊技通過に応じて接点が閉じ、電圧を出力するスイッチを用いても良い。なお、その際、遊技球を検知したときの電圧の方が高くなるので、否定演算回路（ＮＯＴゲート）を介して検知電圧及び非検知電圧を入力回路５１に入力することとなる。この場合、入賞検知装置は、始動口センサＳＥ１及び否定演算回路により構成されることとなる。
【００６５】
・上記実施形態では、第２コンデンサＣ２及びダイオードＬ１を備えたが、備えなくてもよい。また、第１コンデンサＣ１を備えたが、備えなくても良い。
・上記実施形態では、始動口センサＳＥ１及び大入賞口センサＳＥ２に入力回路５１を接続したが、それ以外のセンサ、例えば、ゲートセンサなどに接続しても良い。
【００６６】
・上記実施形態では、メインＣＰＵ３０ａは正論理にて回路設計されていたが、負論理で回路設計しても良い。
次に、上記実施形態及び別例から把握できる技術的思想を以下に追記する。
【００６７】
（イ）前記切替手段は、接続コネクタから電圧を入力しているか否かを判定するための基準となる第２基準電圧を出力する第２電源と、前記接続コネクタに接続されて前記検知電圧及び前記非検知電圧を入力する第３入力端子と、前記第２電源に接続されて前記第２基準電圧を入力する第４入力端子を有し、前記第３入力端子に入力される電圧が前記第４入力端子に入力される電圧よりも低いか否かを比較判定して判定結果が肯定の場合には、前記接続コネクタと前記入賞検知装置が接続状態であることを示す接続電圧を出力しない一方、判定結果が否定の場合には、前記接続電圧を出力する第２比較判定素子と、前記接続電圧を入力している場合には、前記第１電源側から入力された前記第１基準電圧を前記第２入力端子側に入力する一方、前記接続電圧を入力していない場合には、前記第１電源側から入力された前記第１基準電圧を前記第２入力端子側に入力することを規制する切替素子とを有することを特徴とする請求項１〜請求項３のうちいずれか一項に記載の遊技機。
【符号の説明】
【００６８】
１０…パチンコ遊技機（遊技機）、２０…表示装置、３０…主制御基板、３０ａ…メインＣＰＵ（制御装置）、３５…払出制御基板、３６…払出装置、５１…入力回路、Ｃ１…第１コンデンサ（第１蓄電素子）、Ｃ２…第２コンデンサ（第２蓄電素子）、Ｄ１…第１電源、Ｄ２…第２電源（切替手段）、Ｄ３…第３電源、Ｄ４…第４電源（第１比較判定素子）、Ｄ５…第５電源（第２比較判定素子）、Ｈ１…第１コンパレータ（第１比較判定素子）、Ｈ２…第２コンパレータ（切替手段、第２比較判定素子）、ＩＮ１…第１入力端子、ＩＮ２…第２入力端子、ＩＮ３…第３入力端子、ＩＮ４…第４入力端子、ＯＵＴ１…第１出力端子、ＯＵＴ２…第２出力端子、Ｐ１，Ｐ２…接続コネクタ、Ｒ１…第１抵抗、Ｒ２…第２抵抗、Ｒ３…第３抵抗、Ｒ４…第４抵抗、Ｒ４…第４抵抗、Ｒ５…第５抵抗、Ｒ６…第６抵抗、Ｒ７…第７抵抗、Ｒ８…第８抵抗、Ｒ９…第９抵抗（抵抗）、Ｌ１…ダイオード（整流素子）、Ｓ１…接続端子（プラス側接続端子）、Ｓ２…接続端子（マイナス側接続端子）、ＳＥ１…始動口センサ（入賞検知装置）、ＳＥ２…大入賞口センサ（入賞検知装置）、Ｔ１…トランジスタ（切替手段、切替素子）。
【図２】
0005406892.tif 000002
【図３】
0005406892.tif 000003
【図４】
0005406892.tif 000004
【図１】
0005406892.tif 000005